(57)【特許請求の範囲】
【請求項１】
入力される音響信号に応じた音を放音する第１スピーカユニットと、
前記第１スピーカユニットとは異なる放音方向が設定され、前記第１スピーカユニットに比べて口径が大きく、前記第１スピーカユニットに入力される前記音響信号の周波数帯域を含む音響信号が入力される第２スピーカユニットと、
前記第１及び第２スピーカユニットが設けられ、前記第１スピーカユニットの放音方向を受聴位置に向けた第１状態と、前記第２スピーカユニットの放音方向を受聴位置に向けた第２状態との２つの状態で設置可能な筐体と、
前記筐体が前記第１及び第２状態のいずれの状態にあるのかを検出する検出手段と、
前記検出手段の検出結果に応じて、前記第１及び第２スピーカユニットに入力する前記音響信号の周波数特性を補正するイコライザ補正手段と、
を備えることを特徴とするスピーカ装置。
【請求項２】
前記第１及び第２スピーカユニットの各々から放音された音が、前記受聴位置に到達するまでの空間を伝達する距離の差に起因した遅延を、前記検出手段の検出結果に応じて補正する遅延補正手段を備えることを特徴とする請求項１に記載のスピーカ装置。
【請求項３】
前記第１及び第２スピーカユニットのうち、少なくとも一方に入力する前記音響信号の信号レベルを、前記検出手段の検出結果に応じて変更するレベル補正手段を備えることを特徴とする請求項１又は請求項２に記載のスピーカ装置。
【請求項４】
前記第１及び第２スピーカユニットに比べて口径が大きく、より低域の音を放音する第３スピーカユニットを備えることを特徴とする請求項１乃至請求項３のいずれかに記載のスピーカ装置。
【請求項５】
前記筐体は、１方向に長く延設された形状をなし、互いに直交する第１面と第２面とを有し、
前記第１スピーカユニットは、前記第１面における、前記筐体の延設方向の両側部分の各々に設けられた一対のスピーカユニットを有し、
前記第２スピーカユニットは、前記第２面における、前記延設方向の両側部分の各々に設けられた一対のスピーカユニットを有することを特徴とする請求項１乃至請求項４のいずれかに記載のスピーカ装置。
【発明の詳細な説明】
【技術分野】
【０００１】
本願に開示の技術は、異なる方向を向いたスピーカユニットが設けられたスピーカ装置において、スピーカ装置の姿勢の変更に応じた音質の変化を補正する技術に関するものである。
【背景技術】
【０００２】
従来、室内に配置した複数のスピーカ（例えば、ウーファやツイータなど）を使用して心地よいサラウンド効果をもたらすスピーカシステムが普及している。一方で、スピーカシステムは、受聴者を取り囲むように室内のあちこちにスピーカを配置して、各スピーカを音響ケーブルで接続する必要がある。これに対し、複数の種類のスピーカユニットを、１つの装置に組み込んだ、いわゆる、「サウンドバー」や「オールインワン」のスピーカ装置がある（例えば、特許文献１など）。
【０００３】
サウンドバーなどのスピーカ装置は、例えば、テレビに接続して、映像とともに高音質なサウンドを楽しむために使用される。この種のスピーカ装置では、近年のテレビの薄型化や大型化に対応するため、デザイン上の理由や設置スペースの制約などから、スピーカ装置にも薄型化が要求されるようになっている。その結果、スピーカ装置は、薄型化によって、マルチウェイのスピーカユニットを同一面に配置することが困難になっている。
【０００４】
特許文献１に開示されるスピーカ装置では、一方向に長い直方体形状の筐体を有し、当該筐体に設けられた複数の面のうち、隣り合う２つの面（文献では、面１１１，面１１２）にスピーカユニットが設けられている。２つの面のうち、一方の面には、高い周波数帯域の音響信号を出力するのに最適化されたスピーカユニット（文献では、音響ドライバ１９１）が取り付けられ、他方の面には、中間の周波数帯域の音響信号を出力するのに最適化されたスピーカユニット（文献では、音響ドライバ１９２ａ〜１９２ｂ）が取り付けられている。スピーカ装置は、通過させる帯域が異なるフィルタ回路がスピーカユニットごとに設けられており、例えば、入力された５．１ｃｈの音響信号に対してフィルタリングを行い、最適な周波数帯域に分離した後の音響信号を各スピーカユニットに入力している。
【先行技術文献】
【特許文献】
【０００５】
【特許文献１】特許５５８２６６８号公報
【発明の概要】
【発明が解決しようとする課題】
【０００６】
ところで、上記したスピーカ装置は、筐体の長手方向を軸方向として９０度だけ回転し、縦置きや横置きにして使用される。スピーカ装置は、装置の設置の方向が変更されると、受聴者の方向を向いているスピーカユニットの種類が変更される。このため、装置の設置の方向が変更されることによって、受聴位置における音場を形成する支配的なスピーカユニットが変更される。その結果、スピーカ装置の設置の方向によって、受聴位置における音質が変化してしまうことが問題となる。
【０００７】
本願に開示される技術は、上記の課題に鑑み提案されたものである。口径及び放音方向が異なるスピーカユニットを備えるスピーカ装置において、スピーカ装置の設置の方向を変更したことに起因した受聴位置での音質変化を抑制することが可能なスピーカ装置を提供することを目的とする。
【課題を解決するための手段】
【０００８】
本願に開示される技術に係るスピーカ装置は、入力される音響信号に応じた音を放音する第１スピーカユニットと、第１スピーカユニットとは異なる放音方向が設定され、第１スピーカユニットに比べて口径が大きく、第１スピーカユニットに入力される音響信号の周波数帯域を含む音響信号が入力される第２スピーカユニットと、第１及び第２スピーカユニットが設けられ、第１スピーカユニットの放音方向を受聴位置に向けた第１状態と、第２スピーカユニットの放音方向を受聴位置に向けた第２状態との２つの状態で設置可能な筐体と、筐体が第１及び第２状態のいずれの状態にあるのかを検出する検出手段と、検出手段の検出結果に応じて、第１及び第２スピーカユニットに入力する音響信号の周波数特性を補正するイコライザ補正手段と、を備えることを特徴とする。
【０００９】
当該スピーカ装置では、口径及び放音方向が異なる第１及び第２スピーカユニットを備える。スピーカ装置は、筐体の向きを変えることで、第１及び第２スピーカユニットのいずれかの放音方向を、受聴位置に向けることが可能となっている。イコライザ補正手段は、筐体の向き（第１及び第２状態）を検出する検出手段の検出結果に応じて、第１及び第２スピーカユニットに入力する音響信号の周波数特性を補正する。イコライザ補正手段は、例えば、第１及び第２スピーカユニットの口径の差と、放音方向の違いとに起因した受聴位置での音質の変化を補正するように、周波数特性を変更する。より具体的には、第１及び第２スピーカユニットは、口径が異なるため、得意となる再生帯域が異なる。一般的に、口径の小さい第１スピーカユニットは、より口径が大きい第２スピーカユニットに比べて、高域の再生が得意となる。このため、受聴位置に第１スピーカユニットの放音方向が向けられた第１状態では、第１スピーカユニットによる高域の音声の影響が受聴者に対して大きくなる。当該スピーカ装置では、第１及び第２スピーカユニットに対し、周波数帯域が重複した音響信号が入力される。そこで、イコライザ補正手段は、例えば、第１状態において、受聴位置とは異なる方向に放音方向が設定された第２スピーカユニットから再生される音声の周波数帯域のうち、第１スピーカユニットが得意としない中域の周波数帯域の音声が強調されるように、周波数特性を変更する。これにより、スピーカ装置の設置の方向を変更したことに起因した受聴位置での音質変化を抑制することが可能となる。
【００１０】
また、本願に開示される技術に係るスピーカ装置において、第１及び第２スピーカユニットの各々から放音された音が、受聴位置に到達するまでの空間を伝達する距離の差に起因した遅延を、検出手段の検出結果に応じて補正する遅延補正手段を備える構成としてもよい。
【００１１】
ここでいう、空間を伝達する距離とは、例えば、スピーカユニットから放音された音波が、直接的に、あるいは反射等によって間接的に、受聴位置へ到達するまでに空間を伝達する距離をいう。例えば、第１状態では、第２スピーカユニットは、受聴位置とは異なる方向に放音方向が設定され、放音した音が壁や天井等で反射してから受聴位置に到達するため、空間を伝達する距離が第１スピーカユニットに比べて長くなる。第２スピーカユニットから放音される音は、第１スピーカユニットから放音される音に比べて、受聴位置に到達するまでの時間に遅延が生じる。これにより、受聴者は、第２スピーカユニットの音が遅れて聴こえてくることで違和感を感じる虞がある。これに対し、当該スピーカ装置では、第１及び第２スピーカユニットの各々から放音される音の遅延を、遅延補正手段が補正し、受聴位置における音波の位相を揃えることによって、受聴者に対して違和感なく心地よい音を聴かせることが可能となる。
【００１２】
また、本願に開示される技術に係るスピーカ装置において、第１及び第２スピーカユニットのうち、少なくとも一方に入力する音響信号の信号レベルを、検出手段の検出結果に応じて変更するレベル補正手段を備える構成としてもよい。
【００１３】
第１及び第２スピーカユニットは、口径が異なることで、再生される音の音圧が異なってくる。このため、第１及び第２状態では、受聴位置を向くスピーカユニットが変更されることで、受聴者の耳に入る音の音圧レベルも変動する。レベル補正手段は、例えば、第１状態において、受聴位置を向く第１スピーカユニットに入力する音響信号のレベルを下げる処理、及び受聴位置とは異なる方向を向く第２スピーカユニットに入力する音響信号のレベルを上げる処理を行う。これにより、スピーカ装置の設置の方向を変えた場合における受聴位置での音圧の変化を抑制することが可能となる。
【００１４】
また、本願に開示される技術に係るスピーカ装置において、第１及び第２スピーカユニットに比べて口径が大きく、より低域の音を放音する第３スピーカユニットを備える構成としてもよい。
【００１５】
当該スピーカ装置では、例えば、ステレオ（Ｌ，Ｒ）の２チャンネルに加え、低周波数帯域の成分を多く含む低音域（ＬＦＥ）チャンネルを有する２．１チャンネルの音響信号を入力した場合に、第３スピーカユニットを活用し低音域チャンネルの音を再生することによって、第１及び第２スピーカユニットだけでは困難な、迫力のある低音や重低音を再生することが可能となる。
【００１６】
また、本願に開示される技術に係るスピーカ装置において、筐体は、１方向に長く延設された形状をなし、互いに直交する第１面と第２面とを有し、第１スピーカユニットは、第１面における、筐体の延設方向の両側部分の各々に設けられた一対のスピーカユニットを有し、第２スピーカユニットは、第２面における、延設方向の両側部分の各々に設けられた一対のスピーカユニットを有する構成としてもよい。
【００１７】
当該スピーカ装置では、第１及び第２スピーカユニットの各々が有する、延設方向の両側に配置されたスピーカユニットを、例えば、受聴者の左右方向（水平方向）の両側に配置した状態で再生を行うことで、広がり感のある音を受聴者に聴かせることが可能となる。また、当該スピーカ装置では、口径が小さい第１スピーカユニットが第１面に設けられている。このため、第１面は、延設方向と直交する方向の長さを、第１スピーカユニットの口径に合わせて、縮小することが可能となる。つまり、スピーカ装置の薄型化や小型化が可能となる。従って、近年、薄型化が要求されている、いわゆるサウンドバーなどに当該スピーカ装置を適用することは有効である。
【発明の効果】
【００１８】
本願に開示される技術によれば、口径及び放音方向が異なるスピーカユニットを備えるスピーカ装置において、スピーカ装置の設置の方向を変更したことに起因した受聴位置での音質変化を抑制することが可能なスピーカ装置を提供することができる。
【図面の簡単な説明】
【００１９】
【図１】実施形態のスピーカ装置を、室内のラック上に配置した状態を示す斜視図である。
【図２】実施形態のスピーカ装置を、室内の壁に掛けた状態を示す斜視図である。
【図３】スピーカ装置の構成を示すブロック図である。
【発明を実施するための形態】
【００２０】
以下、本発明を具体化した一実施形態について添付図面を参照しながら説明する。図１は、本願発明の一実施形態であるスピーカ装置１０と、当該スピーカ装置１０に接続されたテレビ１３と、当該スピーカ装置１０が載置されたラック１５とが設置された部屋２００の斜視図を示している。以下の説明では、図１に示すように、部屋２００の床２０１に対して垂直な方向を上下方向、スピーカ装置１０から受聴位置２１０に向かう方向を前方、受聴位置２１０から見たスピーカ装置１０の左右に向かう方向を左右方向として説明する。
【００２１】
図１に示すように、テレビ１３は、壁２０３に沿って取り付けられている。ラック１５は、テレビ１３の下方において、背面が壁２０３に沿った状態で床２０１上に配置されている。スピーカ装置１０は、ラック１５上に載置されており、テレビ１３の下方に位置している。スピーカ装置１０とテレビ１３とは、例えば、ＨＤＭＩ（登録商標）（High Definition Multimedia Interface）端子（図３参照）に接続されたケーブルを介して互いに接続されており、音声と映像とを連動させて再生することが可能となっている。
【００２２】
スピーカ装置１０は、一方向（図中においては左右方向）に長く、上下方向の幅に比べて前後方向の幅が長い直方体形状のケース２１を有する。ケース２１は、隣り合う面２１Ａ，２１Ｂ（図中においては前面と上面）のうち、面２１Ａには２つの第１スピーカユニット２３が、面２１Ｂには２つの第２スピーカユニット２４及び２つの第３スピーカユニット２５が取り付けられており、合計で６つのスピーカユニットが取り付けられている。スピーカ装置１０は、図１に示すテレビ１３の他に、例えば、パソコンや外付けハードディスクなどと接続された音響ケーブルから入力される音楽や、ネットワークなどを経由して入力される音楽をメモリ５５（図３参照）に記憶するなどし、内蔵された各スピーカユニット２３〜２５から再生する。なお、本実施形態のスピーカ装置１０は、後述する図２に示すように、ケース２１の向きを変更して使用することが可能な装置である。
【００２３】
スピーカ装置１０は、図１に示す状態において、受聴位置２１０側を向いた前方の面２１Ａに、２つの第１スピーカユニット２３が取り付けられている。なお、２つの第１スピーカユニット２３は、同様の構成となっているが、これらを区別して説明する場合には、図１に示すように符号の後ろにアルファベット、第１スピーカユニット２３Ｌ（レフト）、第１スピーカユニット２３Ｒ（ライト）付して説明する。他の第２スピーカユニット２４Ｌ，２４Ｒ及び第３スピーカユニット２５Ｌ，２５Ｒについても同様とする。
【００２４】
面２１Ａは、図１に示す状態では、上下方向及び左右方向に平面が沿った状態となっている。ケース２１は、面２１Ａの左側の端部部分に第１スピーカユニット２３Ｌが取り付けられ、右側の端部部分に第１スピーカユニット２３Ｒが取り付けられている。２つの第１スピーカユニット２３Ｌ，２３Ｒは、ともに受聴位置２１０を向いた状態となっている。
【００２５】
また、第１スピーカユニット２３は、他の第２及び第３スピーカユニット２４，２５に比べて口径が小さい。ここでいう口径とは、例えば、コーン型の振動板の直径をいう。また、本実施形態の第１及び第２スピーカユニット２３，２４は、口径は異なるが、フルレンジ用のスピーカとして同様の構成となっている。一般的に、スピーカユニットは、口径が小さいほど高域の再生を得意とし、口径が大きいほど低域の再生を得意とする。このため、第１スピーカユニット２３は、第２スピーカユニット２４に比べて口径が小さく、より高域の再生を得意とする構造となっている。例えば、第１スピーカユニット２３は、可聴域の周波数範囲内において、より高い周波数の音を出力するのに最適化されたツイーターとして機能する。
【００２６】
面２１Ｂは、図１に示す状態では上方を向いており、前後方向及び左右方向に平面が沿った状態となっている。ケース２１は、面２１Ｂの左側の端部部分に第２スピーカユニット２４Ｌが取り付けられ、右側の端部部分に第２スピーカユニット２４Ｒが取り付けられている。第２スピーカユニット２４は、第１スピーカユニット２３の向きとは直交する上方を向いた状態となっている。第２スピーカユニット２４は、第１スピーカユニット２３に比べて口径が大きく、第３スピーカユニット２５に比べて口径が小さく、中域の再生を得意とする構造となっている。例えば、第２スピーカユニット２４は、可聴域の周波数範囲内において、中間帯域の周波数の音を出力するのに最適化されたウーファとして機能する。
【００２７】
また、第３スピーカユニット２５は、面２１Ｂに取り付けられている。ケース２１は、左右方向において、第２スピーカユニット２４Ｌよりも内側部分に第３スピーカユニット２５Ｌが取り付けられ、第２スピーカユニット２４Ｒよりも内側部分に第３スピーカユニット２５Ｒが取り付けられている。第３スピーカユニット２５は、第２スピーカユニット２４と同様に、上方を向いた状態となっている。第３スピーカユニット２５は、第１及び第２スピーカユニット２３，２４に比べて口径が大きく、より低域の再生を得意とする構造となっており、サブウーファとして機能する。
【００２８】
また、スピーカ装置１０は、スピーカ装置１０に付属の赤外線リモコン２３０（図３参照）からの赤外線を受信するための２つの受信部２７Ａ，２７Ｂを有する。受信部２７Ａは、面２１Ａの左右方向における中央部に設けられている。受信部２７Ｂは、面２１Ｂの左右方向における中央部であって、第３スピーカユニット２５に挟まれた後方側の位置に設けられている。図１に示す状態では、受信部２７Ａが、受聴位置２１０側（前方）を向いた状態であり、受信部２７Ｂが上方を向いた状態となっている。
【００２９】
図２は、スピーカ装置１０の設置の方向を変更して設置した状態を示している。図２に示す状態では、スピーカ装置１０は、左右方向（ケース２１の長手方向）に沿った軸を中心に、面２１Ｂを受聴位置２１０側に向けるように９０度だけ、ケース２１の向きを回転した状態となっている。スピーカ装置１０は、テレビ１３と同様に、図示しない取付部材によって壁２０３に取り付けられている。スピーカ装置１０は、図２に示す状態では、受聴位置２１０に対して第２及び第３スピーカユニット２４，２５が向いた状態となっている。また、受信部２７Ａ，２７Ｂのうち、受信部２７Ｂが、受聴位置２１０側を向いた状態となっている。スピーカ装置１０は、面２１Ａ（図１参照）が下方を向いており、第１スピーカユニット２３及び受信部２７Ａが床２０１に向いた状態となっている。
【００３０】
本実施形態のスピーカ装置１０は、図１及び図２のいずれの状態においても第１〜第３スピーカユニット２３〜２５への音響信号の入力を切り替えることなく、すべてのスピーカユニット２３〜２５から音声を再生する。ここで、第１〜第３スピーカユニット２３〜２５の各々は、互いに口径が異なり、放音される音の指向性も異なる。スピーカユニットは、一般的に、口径が小さくなるに従って指向性が高くなる。図１に示す状態と、図２に示す状態とでは、このような指向性を有する第１〜第３スピーカユニット２３〜２５の受聴位置２１０に対する向きが異なり、受聴位置２１０における音場を形成する支配的なスピーカユニットが変更されることとなる。例えば、図１に示す状態では、受聴位置２１０を向いている第１スピーカユニット２３Ｒが、他のスピーカユニット２４，２５に比べて支配的となり、受聴者２２０（図３参照）の耳に聴こえる音への影響度が大きくなる。このため、同じ音楽を再生したとしても、図１及び図２の各々の状態で、受聴位置２１０における音質が変化することが問題となる。そこで、本実施形態のスピーカ装置１０では、このような設置方向の違いによる受聴位置２１０での音質変化を抑制する処理を実施している。これにより、当該スピーカ装置１０では、設置方向を変更する場合に、出力するスピーカユニットを切り替えるのではなく、すべてのスピーカユニット２３〜２５から出力しつつ、音質変化を抑えた音声再生を実現する。
【００３１】
図３は、スピーカ装置１０の構成を示すブロック図である。図３に示すように、スピーカ装置１０は、デコーダ部３１と、ポストプロセッシング部３３と、Ｄ／Ａ変換器３５と、電子ボリューム３７と、パワーアンプ（電力増幅回路）３９と、これらを統括制御するコントローラ４１等を有する。デコーダ部３１及びポストプロセッシング部３３は、例えば、ＤＳＰ（Digital Signal Processor）により実現されている。
【００３２】
デコーダ部３１は、テレビ１３の他に、ＤＶＤプレーヤー、スーパーオーディオＣＤプレーヤーなどのデジタルオーディオ機器から音響信号を入力し、例えば、２．１チャンネルのマルチチャンネル信号を出力する。デコーダ部３１は、例えば、ＤＩＲ（Digital Interface Receiver）からのビットストリーム信号、Ｄ／Ａ変換器からのマルチチャンネルＰＣＭ信号、及びＨＤＭＩ（登録商標）（High Definition Multimedia Interface）端子からのマルチチャンネル・ビットストリーム信号を入力し、ドルビーデジタル、ＤＴＳ（Digital Theater Systems）、ＡＡＣ（Advanced Audio Coding）などで圧縮されているデータを展開し、レフト（Ｌ）チャンネル、ライト（Ｒ）チャンネルに加え、低周波数帯域の成分を多く含む低音域（ＬＦＥ）チャンネルを有する２．１チャンネルの信号を出力する。
【００３３】
ポストプロセッシング部３３は、４つのハイパスフィルタ４３と、２つのローパスフィルタ４５と、イコライザ補正部４７と、遅延補正部４９と、レベル補正部５１等を有する。ポストプロセッシング部３３は、デコーダ部３１から入力されるステレオの２チャンネル（Ｌ、Ｒ）の信号を、第１及び第２スピーカユニット２３，２４の各々の左右に対応するハイパスフィルタ４３を介してイコライザ補正部４７に出力する。ハイパスフィルタ４３は、所定のカットオフ周波数以下の周波数帯域の成分を減衰させ、第１及び第２スピーカユニット２３，２４の再生帯域に対応する帯域成分を選択的に通過させる。ハイパスフィルタ４３のカットオフ周波数は、例えば１００Ｈｚである。従って、本実施形態のスピーカ装置１０では、口径及び放音方向が異なる第１スピーカユニット２３と第２スピーカユニット２４とに対し、同一の周波数帯域（例えば、中帯域以上）の音響信号が入力される。
【００３４】
また、ポストプロセッシング部３３は、デコーダ部３１から入力される２チャンネル（Ｌ、Ｒ）の信号と、低音域（ＬＦＥ）チャンネルの信号とが、第３スピーカユニット２５の左右に対応する加算器５３に入力される。加算器５３は、ＬＦＥチャンネルの信号と、Ｌチャンネルの信号とを加算して、第３スピーカユニット２５Ｌから出力される左出力信号としてローパスフィルタ４５に出力する。また、加算器５３は、ＬＦＥチャンネルの信号と、Ｒチャンネルの信号とを加算して、第３スピーカユニット２５Ｒから出力される右出力信号としてローパスフィルタ４５に出力する。ローパスフィルタ４５は、所定のカットオフ周波数以上の周波数帯域の成分を減衰させ、第３スピーカユニット２５の再生帯域に対応する帯域成分を選択的にイコライザ補正部４７に出力する。
【００３５】
イコライザ補正部４７は、口径の違いによって得意とする周波数帯域が異なる第１及び第２スピーカユニット２３，２４の周波数特性の差異を補正する。第１スピーカユニット２３は、口径が比較的小さいため、第２スピーカユニット２４に比べて高域の音声再生を得意とする。中域の再生は、第２スピーカユニット２４によって補われる。
【００３６】
また、上述したように、図１及び図２に示す状態では、支配的なスピーカユニットが変更される。例えば、図１に示す状態では、受聴者２２０の耳に対して第１スピーカユニット２３の影響、即ち、より高域の音声の影響が大きくなる。第２スピーカユニット２４には、第１スピーカユニット２３と同一の周波数帯域の音響信号が入力される。そこで、イコライザ補正部４７は、例えば、第２スピーカユニット２４に入力される音響信号に対し、第１スピーカユニット２３が不得意とする中域の周波数帯域を強調する処理を行う。あるいは、イコライザ補正部４７は、例えば、支配的となる第１スピーカユニット２３に入力される音響信号に対して、高域の周波数帯域を減衰させる処理を行う。このように、イコライザ補正部４７は、第１及び第２スピーカユニット２３，２４が得意又は不得意とする周波数帯域を、強調又は減衰させることによって、受聴位置２１０に供給する音声として足りない周波数帯域を補う、あるいは過剰に供給される周波数帯域を抑制する処理を行う。
【００３７】
また、イコライザ補正部４７は、図２に示す場合には、図１に示す場合とは逆の処理を行う。具体的には、イコライザ補正部４７は、例えば、第１スピーカユニット２３に入力される音響信号に対して、第２スピーカユニット２４が不得意とする高域の周波数帯域を強調する処理を行い、第２スピーカユニット２４に入力される音響信号に対して、中域の周波数帯域を減衰させる処理を行う。なお、イコライザ補正部４７は、第３スピーカユニット２５に入力される音響信号に、第１及び第２スピーカユニット２３，２４に入力される音響信号の周波数帯域と重複する部分が含まれる場合などには、第３スピーカユニット２５に入力される音響信号に対しても同様の処理を実行してもよい。
【００３８】
遅延補正部４９は、図１及び図２に示す各状態で変化する受聴位置２１０での音声の遅延を補正する。スピーカ装置１０から放音される音は、受聴位置２１０にいる受聴者２２０が、前方にある１つの点音源から聴こえているかのように感じられるのが理想的である。しかしながら、例えば、図１に示す状態では、第２及び第３スピーカユニット２４，２５は、上方を向いており、音がスピーカユニット２４，２５から受聴位置２１０まで部屋２００内を伝達する距離が、第１スピーカユニット２３の音が伝達する距離に比べて長くなる。その結果、第２及び第３スピーカユニット２４，２５から放音される音は、受聴位置２１０に到達するまでに遅延が発生する。同様に、図２に示す状態では、第１スピーカユニット２３から放音される音は、伝達する距離が長くなるため遅延が発生する。このため、受聴者２２０は、各スピーカユニット２３〜２５から同時に放音された音が、異なるタイミングで耳に入ることで、点音源ではなく、複数の音源から音が放音されているという違和感を感じる虞がある。
【００３９】
また、第１及び第２スピーカユニット２３，２４の一方から放音された音と、その音から所定時間だけ遅延した音とが、繰り返し受聴位置２１０に到達することにより、周波数特性上のピークやディップが周期的に発生する。その結果、例えば、可聴域の特定の周波数帯域の音が強調されたり、消音されたりする虞もある。これに対し、遅延補正部４９は、各状態における音の遅延を補正するために、例えば、図１に示す状態では、第２及び第３スピーカユニット２４，２５から音を放音するタイミングから、第１スピーカユニット２３から音を放音するタイミングまでの間に、伝達する距離の差に応じた遅延を付与する。これにより、理想的には、スピーカ装置１０の設置の方向を変更したとしても、各スピーカユニット２３，２４から受聴位置２１０に到達する音波の位相を揃えて、受聴者２２０に対し、違和感なく点音源から聴こえている感覚を与えることが可能となる。なお、遅延補正部４９は、第３スピーカユニット２５に入力される音響信号に対しても同様の処理を実行してもよい。
【００４０】
また、第１及び第２スピーカユニット２３，２４は、互いに口径が異なることによって、再生される音の音圧が異なってくる。このため、図１及び図２に示す各状態では、受聴位置２１０を向くスピーカユニットが変更されることによって、受聴者２２０の耳に入る音の音圧レベルも変更される。レベル補正部５１は、このような音圧レベルの変化を抑制するための処理を行う。より具体的には、レベル補正部５１は、例えば、図１に示す状態では、受聴位置２１０側を向く第１スピーカユニット２３に入力される音響信号のレベルを下げる処理、及び第２スピーカユニット２４に入力される音響信号のレベルを上げる処理の少なくとも一方を行う。理想的には、レベル補正部５１は、電子ボリューム３７のボリューム値ｅｖが同一であれば、スピーカ装置１０の設置の方向を変更したとしても、受聴位置２１０における音圧が同一となるように調整を行うことが好ましい。レベル補正部５１が調整する音圧レベルは、予めシミュレーションや実測を行うことで設定が可能である。
【００４１】
ポストプロセッシング部３３の各補正部４７，４９，５１によって処理されたデジタルの音響信号は、Ｄ／Ａ変換器３５に入力される。Ｄ／Ａ変換器３５は、デジタルの音響信号を、アナログの音響信号に変換し、アナログ化された音響信号を電子ボリューム３７に出力する。電子ボリューム３７は、コントローラ４１から指示されたボリューム値ｅｖで音響信号の電圧レベルを調整する。
【００４２】
コントローラ４１は、例えば、ＣＰＵを主体とする処理回路である。コントローラ４１は、ケース２１の向きを検出し、検出した向きに応じて、上述した各補正部４７，４９，５１による音響処理の内容を設定等する。スピーカ装置１０は、ケース２１の向きを検出する検出手段として、スイッチ５７（例えば、ディップスイッチ）を備える。スイッチ５７は、スピーカ装置１０の背面（図１において面２１Ｂと上下方向で対向する面）に設けられている。受聴者２２０は、スピーカ装置１０を設置する向きに応じて、スイッチ５７を操作する。これにより、コントローラ４１は、スイッチ５７のＯＮ・ＯＦＦによって向きを検出することが可能となる。なお、検出手段は、スイッチ５７に限らず、センサ（ジャイロセンサなど）でもよい。この場合、スピーカ装置１０は、自動で向きを検出可能となる。
【００４３】
また、受信部２７Ａ，２７Ｂは、赤外線リモコン２３０から送られてくる赤外線のコード信号をデコードし、デコードした結果をコントローラ４１に出力する。コントローラ４１は、受信部２７Ａ，２７Ｂから入力されるコード信号に応じて、例えば、電子ボリューム３７のボリューム値ｅｖを増減させる。これにより、受聴者２２０は、赤外線リモコン２３０を操作することにより、再生される音声の音量を変更することが可能となる。なお、コントローラ４１は、例えば、デコードされた信号に基づいて、スピーカ装置１０の電源のオン・オフの切り替え、音響信号を入力するソースの切り替え、あるいは音響処理の内容（イコライザ補正部４７によるイコライジングの設定値など）などの変更を行ってもよい。
【００４４】
また、スピーカ装置１０が有するメモリ５５は、コントローラ４１が制御に用いる各種データやプログラムを記憶するものであり、例えば、ポストプロセッシング部３３等のＤＳＰで実行されるプログラムが記憶されている。
【００４５】
そして、電子ボリューム３７は、電圧値を調整した音響信号を、パワーアンプ３９に出力する。パワーアンプ３９は、入力された音響信号を増幅し、第１〜第３スピーカユニット２３〜２５に出力する。スピーカ装置１０は、例えば、第１スピーカユニット２３Ｌから左出力信号、第１スピーカユニット２３Ｒから右出力信号を出力する。このようにして、スピーカ装置１０は、装置の向きに応じた音の再生を実行する。
【００４６】
因みに、ケース２１は、筐体の一例である。イコライザ補正部４７は、イコライザ補正手段の一例である。遅延補正部４９は、遅延補正手段の一例である。レベル補正部５１は、レベル補正手段の一例である。スイッチ５７は、検出手段の一例である。面２１Ａは、第１面の一例である。面２１Ｂは、第２面の一例である。
【００４７】
以上、上記した実施形態によれば、以下の効果を奏する。
（１）スピーカ装置１０は、口径及び放音方向が異なる第１及び第２スピーカユニット２３，２４が取り付けられている。スピーカ装置１０は、図１に示すように第１スピーカユニット２３を受聴位置２１０に向けてラック１５上に置かれた状態と、図２に示す第２スピーカユニット２４を受聴位置２１０に向けて壁２０３に掛けた状態との２つの状態で設置可能となっている。また、スピーカ装置１０には、受聴者２２０が装置の設置向きに応じて操作するスイッチ５７が設けられており、コントローラ４１がスイッチ５７のＯＮ・ＯＦＦによって向きを検出する。コントローラ４１は、ケース２１の向きに応じてイコライザ補正部４７を制御する。イコライザ補正部４７は、各スピーカユニット２３，２４の口径や放音方向の違いによって受聴位置２１０で音質が変化しないように、第１及び第２スピーカユニット２３，２４に入力する音響信号の周波数特性を補正する。これにより、スピーカ装置１０の設置の方向を変更したことに起因した受聴位置２１０での音質変化を抑制することが可能となっている。
【００４８】
（２）遅延補正部４９は、第１及び第２スピーカユニット２３，２４の各々から放音される音の遅延を補正し、受聴位置２１０における音波の位相を揃える。これにより、受聴者２２０は、違和感なく心地よい音を聴くことが可能となる。
【００４９】
（３）レベル補正部５１は、第１及び第２スピーカユニット２３，２４の口径の違いに起因した音圧レベルの変化を抑制するために、例えば、図１に示す状態では、受聴位置２１０側を向く第１スピーカユニット２３に入力される音響信号のレベルを下げる処理等を行う。これにより、スピーカ装置１０の設置の方向を変えた場合における受聴位置２１０での音圧の変化を抑制することが可能となっている。
【００５０】
（４）スピーカ装置１０は、口径の異なるフルレンジの第１及び第２スピーカユニット２３，２４の他に、低音域再生用のサブウーファとして第３スピーカユニット２５を備えている。これにより、スピーカ装置１０は、２．１チャンネルの音響信号を入力した場合に、第３スピーカユニット２５を活用し低音域チャンネルの音を再生することによって、第１及び第２スピーカユニット２３，２４だけでは困難な、迫力のある低音や重低音を再生することが可能となっている。
【００５１】
（５）スピーカ装置１０は、ケース２１が延設される左右方向の両側部分に、各スピーカユニット２３〜２５のレフト側のユニットとライト側のユニットが分散して配置されており、受聴者２２０に対して左右方向（水平方向）において広がり感のある音を放音するようになっている。また、スピーカ装置１０は、３種類のスピーカユニット２３〜２５のうち、最も口径が小さい第１スピーカユニット２３のみが面２１Ａに設けられ、図１に示すように、面２１Ａの上下方向（ケース２１の長手方向の直交方向）の長さを、当該第１スピーカユニット２３の口径に合わせて小さくしている。その結果、スピーカ装置１０は、上下方向の幅を狭くして薄型化が可能となっている。
【００５２】
尚、本発明は上記実施形態に限定されるものではなく、本発明の趣旨を逸脱しない範囲内での種々の改良、変更が可能であることは言うまでもない。
例えば、ポストプロセッシング部３３は、３つの補正部４７，４９，５１を備えたが、イコライザ補正部４７のみで音質の調整を実施する構成でもよい。この場合、他の遅延補正部４９及びレベル補正部５１に係わる回路部分が不要となる。
また、上記実施形態では、各補正部４７，４９，５１を介して、第３スピーカユニット２５に音響信号を入力したが、第３スピーカユニット２５に入力する音響信号に対しては補正処理を実施しない構成でもよい。
【００５３】
また、スピーカ装置１０は、低音域を再生するための第３スピーカユニット２５を備えない構成でもよい。
また、３つの補正部４７，４９，５１を、ＤＳＰにより対応するプログラムが実行されることで実現する構成としたが、各補正部４７，４９，５１を演算回路等で構成したハードウェアで実装してもよい。
【００５４】
また、上記実施形態では、第１及び第２スピーカユニット２３，２４に対し、同一の周波数帯域（中帯域以上）の音響信号を入力したが、第１及び第２スピーカユニット２３，２４に入力する音響信号は、全ての帯域が同一でなくとも、一部が重複していてもよい。
また、図１及び図２に示すスピーカ装置１０の設置の方向や位置は、一例であり、適宜変更可能である。例えば、スピーカ装置１０を、第１スピーカユニット２３が上方（天井側）を向き、第２及び第３スピーカユニット２４，２５が受聴位置２１０を向く状態で設置してもよい。この場合、各スピーカユニット２３〜２５の左右の位置が逆転するため、レフト側のスピーカユニット（第１スピーカユニット２３Ｌなど）と、ライト側のスピーカユニット（第１スピーカユニット２３Ｒなど）とに入力する音響信号を切り替える回路等を、スピーカ装置１０に設けてもよい。
【００５５】
また、スピーカ装置１０は、壁２０３に沿って配置する必要はなく、壁２０３から一定の距離だけ離れた位置でもよい。
また、スピーカ装置１０の位置を固定する方法は、一例であり、例えば、図１に示す場合において、スピーカ装置１０をラック１５の上に置かずに、壁２０３に対して固定してもよい。
また、スピーカ装置１０に入力される信号は、２．１ｃｈの信号に限らず、ステレオ２ｃｈの信号でもよい。この場合、スピーカ装置１０は、第１及び第２スピーカユニット２３，２４で再生できない低域を第３スピーカユニット２５に入力する構成でもよい。また、スピーカ装置１０に入力される信号は、２．１ｃｈを超えるマルチチャンネルの信号でもよい。この場合、受聴者２２０の後方や上方にスピーカを設置せず、前方に設置した複数のスピーカから後方及び上方のサラウンドチャンネルの音を発生させる、いわゆるバーチャル・サラウンド再生を行う構成を備えてもよい。より具体的には、スピーカ装置１０は、例えば、入力される音響信号の後方チャンネルの信号に対し、受聴者２２０の後方の仮想スピーカ位置に定位させる定位付加処理部と、音響信号の左出力信号及び右出力信号に対し、受聴者２２０の左耳にスピーカユニットから放音された左出力信号のみを到達させ、受聴者２２０の右耳にスピーカユニットから放音された右出力信号のみを到達させるクロストーク・キャンセル処理部とを備える構成でもよい。
【００５６】
また、上記実施形態におけるスピーカ装置１０の各部材の数、形状、位置等は一例であり、適宜変更可能である。例えば、ケース２１を、左右方向に長い直方体形状としたが、これに限らず、丸みを帯びた形状、楕円形状、湾曲した形状等の他の形状に適宜変更してもよい。
【符号の説明】
【００５７】
１０  スピーカ装置、２１  ケース、２３  第１スピーカユニット、２４  第２スピーカユニット、２５  第３スピーカユニット、４７  イコライザ補正部、４９  遅延補正部、５１  レベル補正部、５７  スイッチ、２１０  受聴位置。
【図１】
0006380060.tif 000002
【図２】
0006380060.tif 000003
【図３】
0006380060.tif 000004